(57)【要約】      （修正有）【課題】忘れかけていた昔の言葉や方言等を学習し後世に継承する為、多様なレベルの人間に対して広く使用出来る汎用性を備えるカレンダーを提供する。【解決手段】カレンダーでは、日めくり式や月別表示、若しくは、年間表示のカレンダーにおいて、カレンダーに地方の方言や言葉を記し、その読み方と意味を訳した言葉を記入したことを特徴とする。具体的には、沖縄の方言や諺を採用し、さらに沖縄らしさを前面に出したデザインなので、沖縄県地方の方言、諺の学習、継承、沖縄のお土産品を容易に選択して習得でき、多様なレベルの知識情報を同時に楽しく習得出来ると共に、諺や方言の学習が可能になった。【選択図】図２
0003146292.tif 000002
【実用新案登録請求の範囲】
【請求項１】
日めくりや月別表示、若しくは、年間表示のカレンダーに、方言、諺、方言の意味、
方言の解説、諺の意味、諺の解説、図形、図景、図柄、算用数字、ＲＱコード、文字
の内、少なくとも１つ以上を組み合わせて表記したことを特徴とするカレンダー。        
【考案の詳細な説明】
【技術分野】
【０００１】
本考案は、諺や方言を表記したカレンダーに関する。
【背景技術】
【０００２】
格言等を表記した複数の各紙をリングで閉じることで、各紙を捲ることが可能な、日めくり式の格言集が記載された日めくり式カレンダーが広く用いられている。
【特許文献１】特開２００４−１３０５６７（諺カレンダー）
【考案の開示】
【考案が解決しようとする課題】
【０００３】
忘れかけていた昔の言葉や方言等を学習し後世に継承する為、多様なレベルの人間に
対して広く使用できる汎用性を備えるカレンダーを提供する。
【課題を解決するための手段】
【０００４】
日めくりや月別表示、若しくは、年間表示のカレンダーに、方言、諺、方言の意味、
方言の解説、諺の意味、諺の解説、図形、図景、図柄、算用数字、ＲＱコード、文字
の内、少なくとも１つ以上を組み合わせて表記した。  
【考案の効果】
【０００５】
本考案は、諺や方言等を表記したカレンダーであり、忘れかけていた昔の言葉や方言等
を学習し後世に継承する為、多様なレベルの人間に対して広く使用出来る汎用性を備えるカレンダーを提供可能にした。
【考案を実施するための最良の形態】
【０００６】
本考案に係る具体的実施例を図１から図４を参照して、以下を説明する。
本実施でのカレンダーの形状は、大きく分けて３通りとした。
【実施例】
【０００７】
図１は、本考案に係る実施例の琉球歴（日めくりカレンダー）の表紙を示す説明図で、
図２は、月の１日目の日めくりカレンダーを図示した。  図示は、省略したが、月の２日以降３１日まで様々な沖縄の言葉を使用した。  本実施例では、３１日までを１枚づつの日めくり式及び壁掛け型並びに卓上型のカレンダーとした。  カレンダー本体の周囲（縁取り）を琉装柄（黄色や赤色）で描き表紙を含む３２枚で構成した。壁掛け及び卓上型は、１２枚〜１３枚で構成する。  日めくり型の表紙は、商品名である琉球歴のデザインしたロゴを右上角に記した。  表紙中央にも琉球歴のデザイン文字縦を丸い円で一文字づつ囲い描いた（上から順番に黄色、赤、紫）。その文字の左側に「りゅうきゅうごよみ」とひらがなで記した。その文字の下方に沖縄の言葉、（うちな〜ぐち）を通して、あなたの心に活力が出ますに・・・。」と記した。  裏面には、弊社の会社の案内と情報が入ったＲＱコードを記した。
１日から３１日までの構成は、本体の上部に算用漢字を使用し、その下方中央に沖縄の方言又は、諺を記した。  その言葉の右側にやや小さい文字で、（  ）書きの中に、その読み方を東洋漢字を含めた沖縄の表現を記した。  又、左側には、その言葉の意味を標準語で分かりやすく訳し、全体の意味を解釈する言葉を記した。
【０００８】
図３は、琉球歴（月めくりカレンダー）１２か月分壁掛けカレンダーの１月を示すカレンダーの説明図である。  表紙は、図１に図示の表紙１と同じデザインを用い、全体寸法を変えた物で、３１日分の言葉より抜粋し決定した言葉等で１２か月分を構成した。
図１に図示の表紙と同じように沖縄の読み方、沖縄の言葉又は、方言を記し、その言葉の意味を標準語で分かりやすく訳し、全体の意味を解釈する言葉を記した。
図１に図示の表紙１と違う点は、縦型で壁掛けの物、図３、と図４の琉球歴は、横型にして机の上に乗せて使用出来る形状とした。その言葉の下方には、その月別通常のカレンダーとした。  
【０００９】
１２ヶ月分  壁掛けカレンダーの表紙は、図１に図示の表紙と同じデザインを用い、外形寸法が変更になり、３１日分の言葉より抜粋し決定した言葉等で１２ヶ月分を構成した。  壁掛けカレンダーを開いた状態で、上部には、図１に図示の表紙１の１日〜３１日で使用した言葉か別に選定した言葉を大きく描き、図１に図示の表紙１と同じように沖縄の読み方、沖縄の言葉又は、方言を記し、その言葉の意味を標準語で分かりやすく訳し、全体の意味を解釈する言葉を記した。
開いた下部の方は、１日から３１日まで、月別、週別、日別で、予定を書き込める通常のカレンダーとした。
【産業上の利用可能性】
【００１０】
本考案は、紙に表記したカレンダーの他、液晶パネルやＬＥＤを用いた卓上カレンダー若しくは、電光表示板等にも用いることが出来る。  
【図面の簡単な説明】
【００１１】
【図１】本考案に係る一実施例の琉球歴（日めくりカレンダー表紙）を示す説明図である。
【図２】琉球歴（日めくりカレンダー）の１日を示すカレンダーの説明図である。
【図３】琉球歴（月めくりカレンダー）の１月を示すカレンダーの説明図である。
【図４】琉球歴（月めくりカレンダー卓上型）の１月を示す他実施を示すカレンダーの説明図である。
【符号の説明】
【００１２】
１・・・カレンダー表紙  
２・・・１日を示す日めくりカレンダー
３・・・１月を示す月めくりカレンダー（壁掛け）
４・・・１月を示す月めくりカレンダー（卓上型）
【図１】
0003146292.tif 000003
【図２】
0003146292.tif 000004
【図３】
0003146292.tif 000005
【図４】
0003146292.tif 000006
【手続補正書】
【提出日】平成20年6月12日(2008.6.12)
【手続補正１】
【補正対象書類名】実用新案登録請求の範囲
【補正対象項目名】全文
【補正方法】変更
【補正の内容】
【実用新案登録請求の範囲】
【請求項１】
紙からなる日めくりや月別表示、若しくは、年間表示のカレンダーに、
方言、諺、方言の意味、方言の解説、諺の意味、諺の解説、図形、図景、
図柄、算用数字、QRコード（商標登録）、文字の内、少なくとも１つ以上を
組み合わせて表記した。
【手続補正２】
【補正対象書類名】明細書
【補正対象項目名】０００４
【補正方法】変更
【補正の内容】
【０００４】
紙からなる日めくりや月別表示、若しくは、年間表示のカレンダーに
方言、諺、方言の意味、方言の解説、諺の意味、諺の解説、図形、図景、
図柄、算用数字、QRコード（商標登録）、文字の内、少なくとも１つ以上を
組み合わせて表記した。
【手続補正３】
【補正対象書類名】明細書
【補正対象項目名】０００７
【補正方法】変更
【補正の内容】
【０００７】
図は、本考案に係る実施例の琉球暦（日めくりカレンダー )の表紙を示す説明図で、
図２は、月の１日目の日めくりカレンダーを図示した。  図示は、省略したが、月の２  日以降３１日まで様々な沖縄の言葉を使用した。  本実施例では、３１日までを１枚づ
つの日めくり式及び壁掛け型並びに卓上型のカレンダーとした。  カレンダー本体の周  囲（縁取り）を琉装柄（黄色や赤色）で描き表紙を含む３２枚で構成した。
壁掛け及び卓上型は、１２枚〜１３枚で構成する。  日めくり型の表紙は、商品名であ  る琉球暦のデザインしたロゴを右上角に記した。  表紙中央にも琉球暦のデザイン文字  縦を丸い円で一文字づつ囲い描いた。（上から順番に黄色、赤、紫）。
その文字の左側に「りゅうきゅうごよみ」とひらがなで記した。  その文字の下方に  「沖縄の言葉、（うちな〜ぐち）を通して、あなたの心に活力が出ますように・・・。」
と記した。  裏面には、弊社の会社の案内と情報が入ったQRコード（登録商標）を記し  た。  １日から３１日までの構成は、本体の上部に算用漢字を使用し、その下方中心に  沖縄の方言又は、諺を記した。  その言葉の右側にやや小さい文字で、（  ）書きの中  に、その読み方を東洋漢字を含めた沖縄の表現を記した。  又、左側には、その言葉の  意味を標準語で分かりやすく訳し、全体の意味を解釈する言葉を記した。
【手続補正書】
【提出日】平成20年9月4日(2008.9.4)
【手続補正１】
【補正対象書類名】実用新案登録請求の範囲
【補正対象項目名】全文
【補正方法】変更
【補正の内容】
【実用新案登録請求の範囲】
【請求項１】
紙からなる日めくりや月別表示、若しくは、年間表示のカレンダーに、方言、諺、方言の意味、方言の解説、諺の意味、諺の解説、図形、図景、図柄、算用数字、ＱＲコード（登録商標）、文字の内、少なくとも１つ以上を組み合わせて表記したことを特徴とするカレンダー。   
【手続補正２】
【補正対象書類名】明細書
【補正対象項目名】０００４
【補正方法】変更
【補正の内容】
【０００４】
紙からなる日めくりや月別表示、若しくは、年間表示のカレンダーに、方言、諺、方言の意味、方言の解説、諺の意味、諺の解説、図形、図景、図柄、算用数字、ＱＲコード（登録商標）、文字の内、少なくとも１つ以上を組み合わせて表記したことを特徴とするカレンダー。